(57)【要約】【課題】簡単な構成により消費電流を表示可能な移動体通信端末を提供することを目的とする。【解決手段】無線基地局ＢＳ１との無線通信を制御し、無線通信状態をステータス情報として出力する無線制御部３１と、利用者に対する情報入出力を制御し、入出力制御状態を動作モードとして出力する入出力制御部２０と、各無線通信状態に対し消費電流を対応づけた第１の消費電流値テーブル４１を記憶する第１の消費電流記憶部と、各入出力制御状態に対し消費電流を対応づけた第２の消費電流値テーブル４２を記憶する第２の消費電流テーブルと、ステータス情報及び動作モード情報に基づいて、第１及び第２の消費電流値テーブル４１，４２を参照し、消費電流を推定する消費電流推定部２１と、推定された消費電流に基づいて表示を行う消費電流表示部４５とを備えたことを特徴とする移動体通信端末。【選択図】　　　　　図１
2004048488.tif 000002
【特許請求の範囲】
【請求項１】
平均消費電流の異なる複数の動作状態を有し、電池からの電源供給により動作する携帯端末装置において、
各動作状態に対し消費電流を対応づけた消費電流値テーブルを記憶する消費電流記憶部と、
動作状態に基づいて、消費電流値テーブルを参照し、消費電流を推定する消費電流推定部と、
推定された消費電流に基づいて、所定期間の平均消費電流を求める平均消費電流演算部と、
平均消費電流に基づいて表示を行う消費電流表示部とを備えたことを特徴とする携帯端末装置。
【請求項２】
無線基地局との無線通信を制御し、無線通信状態をステータス情報として出力する無線制御部と、
各無線通信状態に対し消費電流を対応づけた第１の消費電流値テーブルを記憶する第１の消費電流記憶部と、
無線制御部からのステータス情報に基づいて、第１の消費電流値テーブルを参照し、消費電流を推定する消費電流推定部と、
推定された消費電流に基づいて表示を行う消費電流表示部とを備えたことを特徴とする移動体通信端末。
【請求項３】
利用者に対する情報入出力を制御し、入出力制御状態を動作モードとして出力する入出力制御部と、
各入出力制御状態に対し消費電流を対応づけた第２の消費電流値テーブルを記憶する第２の消費電流テーブルとを備え、
上記消費電流推定部が、ステータス情報及び動作モード情報に基づいて、第１及び第２の消費電流値テーブルを参照し、消費電流を推定することを特徴とする請求項２に記載の移動体通信端末。
【請求項４】
推定された消費電流に基づいて、所定期間の平均消費電流を求める平均消費電流演算部を備え、
上記消費電流表示部が、平均消費電流に基づいて表示を行うことを特徴とする請求項２又は３に記載の移動体通信端末。
【請求項５】
上記ステータス情報には、待ち受け時の無線通信状態が含まれ、
上記第１の消費電流値テーブルには、待ち受け時の無線通信状態に対応づけられた消費電流が含まれることを特徴とする請求項２に記載の移動体通信端末。
【請求項６】
上記ステータス情報には、基地局からの受信電界強度が含まれ、
上記第１の消費電流値テーブルには、受信電界強度に対応づけられた消費電流が含まれることを特徴とする請求項２又は５に記載の移動体通信端末。
【請求項７】
上記動作モードには、表示装置の表示制御状態が含まれ、
第２の消費電流値テーブルには、表示装置の表示制御状態に対応づけられた消費電流が含まれることを特徴とする請求項３に記載の移動体通信端末。
【発明の詳細な説明】
【０００１】
【発明の属する技術分野】
本発明は、携帯端末装置及び移動体通信端末に係り、さらに詳しくは、消費電流を表示可能な携帯端末装置、並びに、無線通信のための消費電流を表示可能な移動体通信端末に関する。
【０００２】
【従来の技術】
一般に、携帯電話機などの携帯端末装置は、一次電池又は繰り返し充放電可能な２次電池を内蔵し、これらの内蔵電池から供給電源によって動作している。内蔵電池は、使用によりあるいは時間経過とともに放電して残存容量が低下し、それに従って出力電圧も次第に低下していく。そして、出力電圧が所定値以下になれば、携帯端末装置は正常に機能しなくなる。このため、利用者は内蔵電池の残存容量を確認する必要があり、ほとんどの携帯端末装置は、内蔵電池の残存容量を測定して表示する機能を有している。
【０００３】
図７は、従来の携帯電話機１’の要部の構成を示したブロック図であり、内蔵電池の残存容量の表示を行うための構成が示されている。図中の１０は内蔵電池、１１は電池電圧変換部、１２はアプリケーション制御部、１３は表示部である。
【０００４】
内蔵電池１０は、携帯電話機１’の各ブロックに対し直流電圧を供給する１次電池又は２次電池であり、携帯電話機１’の筐体内に内蔵される。電池電圧変換部１１は、常に内蔵電池１０から供給される電源電圧を検出してＡ／Ｄ変換し、デジタルデータとしてアプリケーション制御部１２へ出力する。アプリケーション制御部１２は、アプリケーションプログラムが実行されるマイクロプロセッサであり、利用者に対する情報入出力制御を行っている。Ａ／Ｄ変換された電源電圧値に基づいて、携帯電話機１’の動作状態を考慮して内蔵電池１０の残存容量を判断し、残存容量を示すピクトグラム（ｐｉｃｔｏｇｒａｍ）を選択し、表示部１３に表示させる。
【０００５】
図８の（ａ）〜（ｄ）は、内蔵電池の残存容量を示すピクトグラム、いわゆる電池マークを示した図である。ここでは、４段階の残存容量レベルに対応する４種類のピクトグラムが予め用意されており、内蔵電池１０の残存容量に応じて、いずれかのピクトグラムが選択され表示される。利用者は、この電池マークの表示を見ることにより、内蔵電池の残存容量レベルを確認することができる。
【０００６】
内蔵電池１０の残存容量を確認した利用者は、残存容量に応じて、電池の放電時に備えて予備電池を準備し、あるいは放電前に２次電池の充電を行うことになる。また、放電を抑制して残存容量を維持して出来るだけ電池１０を長持ちさせたい場合には、電池１０の残存容量と端末利用の必要性に応じて携帯端末装置の電源を切ったり、消費電流が抑制される低消費電流モードに切り替えることになる。
【０００７】
【発明が解決しようとする課題】
一般に、携帯端末装置の消費電流は常に一定であるとは限らず、携帯端末装置の消費電流を知ることができれば、電池の残存容量と端末利用の必要性とともに、その時の消費電流をも考慮して、携帯端末装置の電源を切ったり、低消費電流モードに切り替えることが可能になる。
【０００８】
ところが、従来の携帯端末装置は、上述したとおり、ピクトグラムによって４段階程度の電池残存容量を表示するのみであり、現在の消費電流、すなわち、電池１０の消耗度合いを知ることはできない。このため、利用者自身が、携帯端末装置の動作状態を把握し、これに基づいて現在の消費電流を推測し、電池消耗を抑制するか否かを判断する他ないという問題があった。
【０００９】
ところが、様々な機能を有する携帯端末装置の消費電流を利用者が推測することは容易ではない。一見すると同じ動作状態であっても、様々な要因により実際の消費電流は増大していたり、減少していたりする場合がある。
【００１０】
特に、セルラー移動体通信端末の場合、待ち受け時にも無線基地局との間で無線通信を行っており、この様な利用者によって意識されない動作によって電力が消費されているため、利用者自身が消費電流を把握することは困難であるという問題があった。
【００１１】
しかも、待ち受け時の消費電流は電波環境によって大きく異なる。例えば、利用者が電車や自動車等に乗って高速移動している場合、待ち受け状態のセルラー移動体通信端末は、次々とセル間を移動し、そのたびにセルサーチやハンドオーバーが行われる。このため、静止している待ち受け状態のセルラー移動体通信端末に比べて、消費電流が大きくなる。また、静止している場合であっても、電波状況の悪い場所にいれば、送信電力が増大するとともに、繰り返しハンドオーバーが生じ、消費電流が増大する場合がある。
【００１２】
本発明は、上記の事情に鑑みてなされたものであり、消費電流を表示可能な携帯端末装置及び移動体通信端末を提供することを目的とする。また、簡単な構成により消費電流を表示可能な携帯端末装置及び移動体通信端末を提供することを目的とする。更に、無線通信のための消費電流を表示可能な移動体通信端末を提供することを目的とする。
【００１３】
【課題を解決するための手段】
請求項１に記載の本発明による携帯端末装置は、平均消費電流の異なる複数の動作状態を有し、電池からの電源供給により動作する携帯端末装置であって、各動作状態に対し消費電流を対応づけた消費電流値テーブルを記憶する消費電流記憶部と、動作状態に基づいて、消費電流値テーブルを参照し、消費電流を推定する消費電流推定部と、推定された消費電流に基づいて、所定期間の平均消費電流を求める平均消費電流演算部と、平均消費電流に基づいて表示を行う消費電流表示部とを備えて構成される。
【００１４】
請求項２に記載の本発明による移動体通信端末は、無線基地局との無線通信を制御し、無線通信状態をステータス情報として出力する無線制御部と、各無線通信状態に対し消費電流を対応づけた第１の消費電流値テーブルを記憶する第１の消費電流記憶部と、無線制御部からのステータス情報に基づいて、第１の消費電流値テーブルを参照し、消費電流を推定する消費電流推定部と、推定された消費電流に基づいて表示を行う消費電流表示部とを備えて構成される。
【００１５】
請求項３に記載の本発明による移動体通信端末は、利用者に対する情報入出力を制御し、入出力制御状態を動作モードとして出力する入出力制御部と、各入出力制御状態に対し消費電流を対応づけた第２の消費電流値テーブルを記憶する第２の消費電流テーブルとを備え、上記消費電流推定部が、ステータス情報及び動作モード情報に基づいて、第１及び第２の消費電流値テーブルを参照し、消費電流を推定するように構成される。
【００１６】
請求項４に記載の本発明による移動体通信端末は、推定された消費電流に基づいて、所定期間の平均消費電流を求める平均消費電流演算部を備え、上記消費電流表示部が、平均消費電流に基づいて表示を行うように構成される。
【００１７】
請求項５に記載の本発明による移動体通信端末は、上記ステータス情報には、待ち受け時の無線通信状態が含まれ、上記第１の消費電流値テーブルには、待ち受け時の無線通信状態に対応づけられた消費電流が含まれる。
【００１８】
請求項６に記載の本発明による移動体通信端末は、上記ステータス情報には、基地局からの受信電界強度が含まれ、上記第１の消費電流値テーブルには、受信電界強度に対応づけられた消費電流が含まれる。
【００１９】
請求項７に記載の本発明による移動体通信端末は、上記動作モードには、表示装置の表示制御状態が含まれ、第２の消費電流値テーブルには、表示装置の表示制御状態に対応づけられた消費電流が含まれる。
【００２０】
【発明の実施の形態】
図１は、本発明による携帯端末装置の一構成例を示したブロック図であり、ここでは携帯電話機１の例が示されている。図中の２はアプリケーション制御部、１０は内蔵電池、１１は電源電圧変換部、３０は無線部、３１は無線制御部、４１及び４２はデータテーブル、４３は消費電流蓄積部、４４はＬＥＤ（Ｌｉｇｈｔ　Ｅｍｉｔｔｉｎｇ　Ｄｉｏｄｅ：発光ダイオード）、４５はＬＣＤ（ｌｉｑｕｉｄ　ｃｒｙｓｔａｌ　ｄｉｓｐｌａｙ：液晶ディスプレイ）、４６はキー入力部である。
【００２１】
無線部３０は、無線基地局との間で無線通信を行うための無線通信回路であり、送受信アンテナに接続され、送受信回路や変復調回路などからなる。ここでは、セルラー方式、特にＣＤＭＡ（ｃｏｄｅ　ｄｉｖｉｓｉｏｎ　ｍｕｌｔｉｐｌｅ　ａｃｃｅｓｓ）方式の無線通信に用いられる無線回路であるものとする。無線制御部３１は、無線部３０から基地局情報を受け取るとともに、無線部３０に対し制御信号を出力し、無線通信網の制御を行っている。また、無線部３０からの基地局情報等に基づいて、無線通信状態を示すステータス情報をアプリケーション制御部２へ出力している。
【００２２】
ＬＥＤ４４及びＬＣＤ４５は、利用者に対し情報出力を行うための表示部であり、表示制御は、アプリケーション制御部２が行っている。また、キー入力部４６は、利用者が情報入力を行うための入力部であり、携帯電話機１の操作部に設けられた押ボタンや、ダイヤルスイッチなどからなる。キー入力部４６から入力された情報は、アプリケーション制御部２へ出力される。
【００２３】
また、図示しないが、携帯電話機１は、受話器としてのスピーカ、送話器としてのマイクロフォンを備え、送話音声データはマイクロフォンからアプリケーション制御部２に入力され、受話音声データは、アプリケーション制御部２からスピーカに対し出力される。
【００２４】
アプリケーション制御部２は、無線制御部３１により行われるセルラー基地局に対する無線通信制御を除く様々な制御を行っており、ユーザインターフェースを含む端末本体の制御を行っている。このアプリケーション制御部２は、マイクロプロセッサ上で実行されるプログラムとして実現され、アプリケーション処理部２０、消費電流推定部２１、蓄積処理部２２、平均演算部２３、表示制御部２４からなる。
【００２５】
アプリケーション処理部２０は、利用者に様々なサービスを提供するためのアプリケーションプログラムを実行する処理部であり、例えば、電話帳の検索、電子メールの作成や管理、ゲームなどを利用者に提供している。また、アプリケーション制御部２内の各ブロックを制御し、通話時の音声データの符号化／復号化やスピーカ／マイクロフォンに対する入出力制御、表示部４４，４５の表示制御なども行っている。また、入出力制御、アプリケーションプログラムの実行状況等の制御状態を動作モードとして消費電流推定部２１へ出力している。
【００２６】
消費電流推定部２１は、アプリケーション処理部２０及び無線制御部３１の制御状態に基づいて、携帯電話機１における現在の消費電流値を推定している。消費電流値の推定は、予め求められた消費電流値を保持するデータテーブル４１，４２を用いて行われる。
【００２７】
蓄積処理部２２は、推定された消費電流値を、当該消費電流値での動作時間とともに消費電流蓄積部４３に記録する。消費電流蓄積部４３は、消費電流及び動作時間を記録する記憶手段である。
【００２８】
平均演算部２３は、消費電流蓄積部４３に記録された消費電流及び動作時間を読み出し、これらのデータに基づいて平均消費電流を求める。この平均消費電流は、所定の平均化期間における消費電流値の平均値として演算処理により求められる。その際、各消費電流ごとの動作時間が考慮される。例えば、現在に至るまでの平均化期間内について、消費電流値及び動作時間の積の総和を求め、動作時間の総和で除算することにより、平均消費電流が求められる。
【００２９】
平均演算部２３は、平均化期間が予め与えられている必要があるが、平均化期間は、利用者が任意に決定、変更できるように構成してもよい。例えば、１分から１時間までの範囲で選択可能とし、１０分以下は１分刻み、それよりも長い期間では５分刻みに選択させることができる。なお、消費電流蓄積部４３に平均化期間に満たない動作時間についての消費電流しか蓄積されていない場合には、平均値演算を行わず、後述する消費電流の表示も行われない。
【００３０】
表示制御部２４は、ＬＥＤ４４及びＬＣＤ４５の表示制御を行っている。ここでは、平均演算部２３で求められた平均消費電流をピクトグラムに変換して、ＬＣＤ４５に表示するとともに、電池電圧変換部１１で求められた内蔵電池１０の出力電圧をピクトグラムに変換して、ＬＣＤ４５に表示している。
【００３１】
図２の（ａ）〜（ｄ）は、消費電流表示のためのピクトグラムの一例を示した図であり、４種類の各ピクトグラムは４段階の消費電流レベルに対応し、図１のＬＣＤ４５に表示される。平均消費電流を所定の閾値と比較し、（ａ）〜（ｄ）のいずれか一つのピクトグラムが選択され表示される。消費電流が最も小さい場合に（ａ）のピクトグラムが表示され、消費電流が多くなるに従って（ｂ）、（ｃ）と変化し、消費電流が最も大きい場合には（ｄ）のピクトグラムが表示される。
【００３２】
図３は、図１の携帯電話機１による基地局との無線通信の様子を示した図である。図中のＢＳ１〜ＢＳ３は無線基地局、Ｃ１〜Ｃ３はセルである。基地局ＢＳ１〜ＢＳ３は、それぞれがセルＣ１〜Ｃ３と呼ばれる無線通信ゾーンを提供し、セルＣ１〜Ｃ３内に位置する移動体通信端末との無線通信を行っている。携帯電話機１は、これらの基地局ＢＳ１〜ＢＳ３と無線通信を行うセルラー移動体通信端末であるものとする。
【００３３】
各基地局ＢＳ１〜ＢＳ３は、それぞれが対応するセルＣ１〜Ｃ３に対し、常時、報知信号を送信している。携帯電話機１はこれらの報知信号を探索し、受信できた報知信号の電力レベルに基づいて、無線通信を行う基地局ＢＳ１が決定される。電源投入直後の携帯電話機１は、この様なセルサーチを行うことにより、基地局ＢＳ１との無線リンクを確立する。
【００３４】
その後、携帯電話機１は待ち受け状態となり、定期的に基地局ＢＳ１からの信号を監視し、着呼信号を受信すれば通話状態に移行する。また、定期的に基地局ＢＳ１からの受信電力レベル（受信電界強度）を検出し、この電力レベルが所定の閾値以下になれば、再びセルサーチを開始する。このセルサーチによって、より受信電力レベルの高い基地局ＢＳ２，ＢＳ３が発見されると、当該基地局へのハンドオーバー処理を行い、新たな基地局ＢＳ２又はＢＳ３との無線リンクを確立させる。
【００３５】
この様な携帯電話機１が、セルＣ１〜Ｃ３間を頻繁に移動すると、セルサーチ及びハンドオーバーが頻繁に行われ、携帯電話機１の無線部３０における消費電流が増大する。セルＣ１〜Ｃ３は、通常、半径数ｋｍ程度の大きさからなることから、例えば、利用者が電車や自動車によって移動すると、携帯電話機１の消費電流が増大することになる。
【００３６】
また、携帯電話機１が電波状態の悪い地点にある場合、例えば、セル境界付近にある場合には、頻繁にセルサーチやハンドオーバーが生じ、消費電流が増大する。
【００３７】
また、携帯電話機１は、無線リンクが確立された基地局ＢＳ１からの受信電力レベルに基づいて、送信電力レベルを制御している。すなわち、通話状態及び待ち受け状態において、基地局との間の電波環境が悪化して基地局ＢＳ１からの受信電力レベルが低下すれば、携帯電話機１は送信信号の電力レベルを増大させる。このため、電波環境が悪くなれば、無線部３０内の送信アンプにおける消費電流が増大する。
【００３８】
この様に無線部３０における消費電流は、通話状態及び待ち受け状態によって変動するだけでなく、通話状態において、あるいは、待ち受け状態においても、電波環境によって消費電流は変動する。このため、無線部３０における消費電流を表示することにより、消費電流が多い時には、利用者が自ら判断して、電源を切り、あるいは低消費電流モードに切り替えて、内蔵電池１０を長持ちさせることができる。
【００３９】
特に、消費電流が多い待ち受け状態の場合、電源をオフしておくことにより、実質的な待ち受け可能時間を長くすることができる。
【００４０】
図４は、図１の消費電流推定部２１の詳細な構成例を示したブロック図である。図中の２１１は第１の推定処理部、２１２は第２の推定処理部、２１３は合成演算部である。
【００４１】
第１の推定処理部２１１は、無線制御部３１から出力されるステータス情報に基づいて、第１のデータテーブル４１を参照し、無線部３０における消費電流を推定している。
【００４２】
図５は、第１のデータテーブル４１の一例を示した図である。第１のデータテーブル４１は、各ステータス情報に対し、予め測定された平均消費電流を対応づけたデータテーブルであり、半導体メモリなどに予め記憶されている。図示されたデータテーブルには、ステータス情報としての４つの待ち受け状態Ａ〜Ｄにおける、それぞれの平均消費電流値が示されている。
【００４３】
待ち受け状態Ａは、周辺基地局の受信レベル測定を行っている状態であり、待ち受け状態Ｂでは、セルサーチを行っている状態であり、待ち受け状態Ｃは、強電界レベル下での待ち受け状態であり、待ち受け状態Ｄでは、弱電界レベル下での待ち受け状態である。待ち受け状態Ａ，Ｂでは、待ち受け状態Ｃよりも、消費電流が増大し、待ち受け状態Ｄでは、さらに消費電流が増大している。これらの各消費電流は、予め測定された実測値（平均消費電流）に基づいて決定される。
【００４４】
なお、無線制御部３１が出力するステータス情報には、通話状態を含めることもできる。また、さらに細分化された詳細な無線通信状態の情報とすることもできる。第１のデータテーブル４１は、このようなステータス情報ごとに消費電流を対応づけたものにすることが望ましい。
【００４５】
一方、第２の推定処理部２１２は、アプリケーション処理部２０から出力される動作モードに基づいて、第２のデータテーブル４２を参照し、無線部３０以外の各ブロック、例えば、アプリケーション制御部２、ＬＥＤ４４，ＬＣＤ４５、キー入力部４６、スピーカ、マイクロフォン等による消費電流を推定している。
【００４６】
図６は、第２のデータテーブル４２の一例を示した図である。第２のデータテーブル４２は、各動作モードに対し、予め測定された平均消費電流を対応づけたデータテーブルであり、半導体メモリなどに予め記憶されている。図示されたデータテーブルには、動作モードとしての通話／待ち受け状態、ＬＣＤ４５の動作／非動作、ＬＣＤ４５のバックライトのＯＮ／ＯＦＦを組み合わせた４つの入出力制御状態における、それぞれの平均消費電流値が示されている。
【００４７】
通話状態では、スピーカからの音声出力、マイクロフォンからの音声入力、符号化／復号化処理などが行われ、入出力制御による消費電流が増大する。また、待ち受け状態では、ＬＣＤ４５による消費電流が大きなウエイトを占める。ＬＣＤ４５非動作時に比べ、ＬＣＤ動作時には消費電流が増大し、更に、バックライト方式の場合には、バックライトＯＦＦ時に比べ、バックライトＯＮ時は消費電流が増大する。
【００４８】
なお、アプリケーション処理部２０が出力する動作モードには、電話帳検索、電子メールの編集、閲覧等のアプリケーションの動作状態を含めることもできる。また、より細分化された詳細な動作モードとすることもできる。第１のデータテーブル４１は、このようなステータス情報ごとに消費電流を対応づけたものにすることが望ましい。
【００４９】
合成演算部２１は、第１及び第２の推定処理部２１１，２１２で求められた消費電流にも基づき、携帯電話機１全体の消費電流を求める。例えば、各推定処理部２１１，２１２で求められた消費電流の和を求めてもよいし、両者の値を予め与えられた演算式に代入し、携帯電話機１全体の消費電流を求めてもよい。
【００５０】
本発明の実施の形態によれば、消費電流推定部２１が、携帯電話機１における現在の消費電流を推定し、所定期間における平均消費電流値をＬＣＤ４５に表示している。このため、利用者は、現在の消費電流を確認することができ、消費電流に応じて電源オフ等の操作を行うことができる。また、携帯電話機１が消費電流の測定を行っているわけではないため、低コストで実現することができ、小型で軽量の携帯電話機１においても容易に実現することができる。
【００５１】
また、消費電流推定部２１の第１の推定処理部２１１が、無線制御部３１からのステータス情報に基づいて、第１のデータテーブル４１を用いて、無線通信のための消費電流を推定し、推定された消費電流に基づく表示を行っている。通常は、利用者が確認することができない無線通信のための消費電流を表示することにより、利用者は、電池の残存容量を有効に活用することができる。特に、待ち受け時の消費電流を表示することにより、実質的な待ち受け時間を長くすることができる。
【００５２】
また、消費電流推定部２１の第２の推定処理部２１２が、アプリケーション処理部２０からの動作モードに基づいて、第２のデータテーブル４２を用いて、利用者に対する情報入出力のための消費電流を推定し、合成演算部２１３が、無線通信のための消費電流値との和を求めている。このため、携帯電話機１の消費電流をより正確に推定することができる。
【００５３】
なお、本実施の形態では、携帯電話機の場合の例について説明したが、本発明は、様々な移動体通信端末に適用することができ、通話機能を有する端末装置に限定されない。例えば、データ通信機能を有するＰＤＡ等の携帯端末装置にも適用することができる。更に、本発明は、通信機能を有しない携帯端末装置にも広く適用することができる。
【００５４】
また、本実施の形態では、内蔵電池１０から電源供給を受ける携帯電話機の例について説明したが、本発明は、電池を用いる装置に適用することができ、内蔵電池を用いる装置に限定されない。
【００５５】
また、本実施の形態では、消費電流をＬＣＤ４５に表示する場合の例について説明したが、本発明は、種々の表示装置を用いて消費電流を表示する場合に適用することができ、液晶ディスプレイに表示する場合に限定されない。例えば、ＬＥＤ、ＥＬ（Ｅｌｅｃｔｒｏ　Ｌｕｍｉｎｅｓｃｅｎｃｅ）、その他の表示装置を用いる場合にも適用できる。
【００５６】
【発明の効果】
本発明による携帯端末装置は、動作状態に基づいて、消費電流値テーブルを参照して消費電流を推定し、所定期間の平均消費電流を求めて表示を行う。このため、実際の消費電流を測定することなく、消費電流を求めることができる。従って、簡単な構成により、携帯端末装置において消費電流を表示させることができる。
【００５７】
また、本発明による移動体通信端末は、無線制御部からのステータス情報に基づいて、第１の消費電流値テーブルを参照し、消費電流を推定して表示を行う。このため、実際に消費電流を測定することなく、無線通信のための消費電流を求めることができる。従って、簡単な構成により、移動体通信端末において消費電流を表示させることができる。
【００５８】
さらに、本発明による移動体通信端末は、無線制御部からのステータス情報及び入出力制御部からの動作モードに基づいて、第１及び第２の消費電流値テーブルを参照し、消費電流を推定して表示を行う。このため、移動体通信端末の消費電流を実際に測定することなく、移動体通信端末の消費電流をより正確に求めることができる。
【図面の簡単な説明】
【図１】本発明による携帯端末装置の一構成例を示したブロック図である。
【図２】図２の（ａ）〜（ｄ）は、消費電流表示のためのピクトグラムの一例を示した図である。
【図３】図１の携帯電話機１による基地局との無線通信の様子を示した図である。
【図４】図１の消費電流推定部２１の詳細な構成例を示したブロック図である。
【図５】第１のデータテーブル４１の一例を示した図である。
【図６】第２のデータテーブル４２の一例を示した図である。
【図７】従来の携帯電話機１’の要部の構成を示したブロック図である。
【図８】（ａ）〜（ｄ）は、内蔵電池の残存容量を示すピクトグラム（電池マーク）を示した図である。
【符号の説明】
１　携帯電話機、２　アプリケーション制御部、１０　内蔵電池、
１１　電池電圧変換部、２０　アプリケーション処理部、
２１　消費電流推定部、２２　蓄積処理部、２３　平均演算部、
２４　表示制御部、３０　無線部、３１　無線制御部、
４１　第１のデータテーブル、４２　第２のデータテーブル、
４３　消費電流蓄積部、４４　ＬＥＤ、４５　ＬＣＤ、４６　キー入力部、
２１１　第１の推定処理部、２１２　第２の推定処理部、２１３　合成演算部、ＢＳ１〜ＢＳ３　基地局、Ｃ１〜Ｃ３　セル
【図１】
2004048488.tif 000003
【図２】
2004048488.tif 000004
【図３】
2004048488.tif 000005
【図４】
2004048488.tif 000006
【図５】
2004048488.tif 000007
【図６】
2004048488.tif 000008
【図７】
2004048488.tif 000009
【図８】
2004048488.tif 000010